(57)【特許請求の範囲】
【請求項１】
下記成分（Ａ）、成分（Ｂ）、成分（Ｃ）、成分（Ｄ）および成分（Ｅ）を含有し、洗浄剤組成物総量に対して前記成分（Ａ）の含有量は１５質量〜５０質量％、前記成分（Ｂ）の含有量は０．０５質量％〜１．０質量％であり、前記成分（Ａ）の総量に対してラウリン酸および／またはその塩の含有量は４５質量％以上であり、パルミチン酸および／またはその塩の含有量は１５質量％〜２５質量％であることを特徴とする洗浄剤組成物。
（Ａ）脂肪酸塩
（Ｂ）Ｎ−アシルメチルアラニン型アミノ酸系界面活性剤
（Ｃ）カチオン性ポリマー
（Ｄ）ノニオン性ポリマー
（Ｅ）塩化ナトリウムまたは塩化カリウムである無機塩
【発明の詳細な説明】
【技術分野】
【０００１】
本発明は、洗浄剤組成物に関し、詳しくは、泡の立ち始めから泡が細かく、泡持続性の高い洗浄剤組成物に関する。
【背景技術】
【０００２】
洗浄剤組成物には洗浄機能だけでなく、付加価値的機能を備えることが求められてきている。中でも洗顔やボディソープといった皮膚に直接的に触れ使用する形態の洗浄剤組成物は、その使用性が特に求められるものである。
【０００３】
その観点から、滑り性を向上させるカチオン性ポリマーを複数組み合わせ、マッサージ機能を付与した洗浄剤組成物などが考えられている（例えば、特許文献１参照）。
しかしながら、カチオン性ポリマーは剤として滑り性を向上させるものの、洗浄剤組成物が皮膚に接触する際の泡の状態において、必ずしも泡の弾力や厚みを感じさせるものではなく、泡による付加価値機能を付与するための洗浄剤組成物として適したものではなかった。
【０００４】
また、脂肪酸石けんとアミノ酸系界面活性剤および特定のセルロース系ポリマーを組み合わせることで、泡立ちや経時安定性に優れる洗浄料用組成物なども考案されている（例えば、特許文献２参照）。
しかし、脂肪酸石けんにアミノ酸系界面活性剤と特定のセルロース系ポリマーを組み合わせることにより泡立ちや経時安定性は向上するものの、初期に泡立った際の泡質は粗く、泡立ちの初期から泡がクリーミィで心地良く使用できる洗浄剤組成物とはならなかった。
【０００５】
このような背景から、泡立てた瞬間から泡が細かく、泡の持続性があるために洗浄行為の間も心地良い泡を感じられる洗浄剤組成物が求められている。
【先行技術文献】
【特許文献】
【０００６】
【特許文献１】特開２０１２−１５８５４８公報
【特許文献２】特開２０１４−２１８４６５公報
【発明の開示】
【発明が解決しようとする課題】
【０００７】
上記従来技術を背景とした本発明の目的は、泡の立ち始めから泡が細かく、泡持続性の高い洗浄剤組成物を提供することにある。
【課題を解決するための手段】
【０００８】
本発明者等は、本発明の目的を達成するために鋭意研究した結果、脂肪酸塩とＮ−アシルグリシン型又はＮ−アシルメチルアラニン型アミノ酸系界面活性剤、カチオン性ポリマー、ノニオン性ポリマー、無機塩類とを組み合わせることにより、泡の立ち始めから泡が細かく、泡持続性の高い洗浄剤組成物が得られることを見出し、本発明を完成した。
【０００９】
第一の発明は、下記成分（Ａ）および成分（Ｂ）を含有することを特徴とし、洗浄剤組成物総量に対して成分（Ｂ）が０．０５質量％〜１．０質量％含有することを特徴とする洗浄剤組成物。
（Ａ）脂肪酸塩
（Ｂ）Ｎ−アシルグリシン型又はＮ−アシルメチルアラニン型アミノ酸系界面活性剤
【００１０】
第二の発明は、更に（Ｃ）カチオン性ポリマーを含有することを特徴とする請求項１に記載の洗浄剤組成物。
【００１１】
第三の発明は、更に（Ｄ）ノニオン性ポリマーを含有することを特徴とする請求項１または請求項２に記載の洗浄剤組成物。
【００１２】
第四の発明は、（Ｂ）がＮ−アシルメチルアラニン型アミノ酸系界面活性剤であることを特徴とする請求項１〜３に記載の洗浄剤組成物。
【発明の効果】
【００１３】
本発明によれば、泡の立ち始めから泡が細かく、泡持続性の高い洗浄剤組成物を提供することができる。
【発明を実施するための形態】
【００１４】
以下、本発明の洗浄剤組成物について詳細に説明する。
【００１５】
本発明の洗浄剤組成物で用いられる成分（Ａ）は脂肪酸塩である。脂肪酸塩を構成する脂肪酸としては、好ましくは炭素数８〜２２の飽和の脂肪酸である。例えばラウリン酸、ミリスチン酸、パルミチン酸、ステアリン酸などの単一の脂肪酸や、ヤシ油脂肪酸、牛脂脂肪酸、ヒマシ油脂肪酸、オリーブ油脂肪酸、パーム油脂肪酸などから誘導される脂肪酸、又はそれらの混合物が挙げられる。脂肪酸塩を構成する塩としては、例えばナトリウム塩、カリウム塩等のアルカリ金属塩、低級アルカノールアミン塩などが挙げられるが、好ましくは、ナトリウム塩、カリウム塩である。
【００１６】
本発明の洗浄剤組成物で用いられる成分（Ａ）脂肪酸塩を具体的に例示すれば、ラウリン酸ナトリウム、ミリスチン酸ナトリウム、パルミチン酸ナトリウム、ステアリン酸ナトリウム、イソステアリン酸ナトリウム、オレイン酸ナトリウム、ラウリン酸カリウム、ミリスチン酸カリウム、パルミチン酸カリウム、ステアリン酸カリウム、イソステアリン酸カリウム、オレイン酸カリウム、ラウリン酸トリエタノ―ルアミン、ミリスチン酸トリエタノ―ルアミン、パルミチン酸トリエタノ―ルアミン、ステアリン酸トリエタノ―ルアミン、イソステアリン酸トリエタノ―ルアミン、オレイン酸トリエタノ―ルアミン、ヤシ油脂肪酸ナトリウム、牛脂脂肪酸ナトリウム、ヒマシ油脂肪酸ナトリウム、オリーブ油脂肪酸ナトリウム、パーム油脂肪酸ナトリウム、パーム核油脂肪酸ナトリウム、ヤシ油脂肪酸カリウム、牛脂脂肪酸カリウム、ヒマシ油脂肪酸カリウム、オリーブ油脂肪酸カリウム、パーム油脂肪酸カリウム、パーム核油脂肪酸カリウム、ヤシ油脂肪酸トリエタノ―ルアミン、牛脂脂肪酸トリエタノ―ルアミン、ヒマシ油脂肪酸トリエタノ―ルアミン、オリーブ油脂肪酸トリエタノ―ルアミン、パーム油脂肪酸トリエタノ―ルアミン、パーム核油脂肪酸トリエタノ―ルアミン等が挙げられる。本発明の洗浄剤組成物には、これら高級脂肪酸塩を１種単独又は２種以上を組み合わせて用いることができる。
【００１７】
本発明の洗浄剤組成物において、成分（Ａ）高級脂肪酸塩の配合量は、好ましくは１０〜５０質量％である。より好ましくは１５〜４０質量％である。１０質量％未満では、良好な泡量、泡質（クリーミィ性）が得られない。一方５０質量％を超えると、水溶けが悪く、泡のたちが遅くなり良好な使用性を得られない。
【００１８】
本発明の洗浄剤組成物で用いられる成分（Ｂ）はＮ−アシルグリシン型又はＮ−アシルメチルアラニン型アミノ酸系界面活性剤である。かかるアシル基は炭素原子数８〜２２の脂肪酸残基が好ましく、例えばラウリン酸、ミリスチン酸、パルミチン酸、ステアリン酸、イソステアリン酸、オレイン酸などの単一のアシル基や、ヤシ油脂肪酸、牛脂脂肪酸、ヒ
マシ油脂肪酸、オリーブ油脂肪酸、パーム油脂肪酸などから誘導されるアシル基、又はそれらの混合物が挙げられる。アミノ酸系界面活性剤の塩としては、例えばナトリウム塩、カリウム塩等のアルカリ金属塩、低級アルカノールアミン塩などが挙げられるが、好ましくは、ナトリウム塩、カリウム塩である。
【００１９】
本発明の洗浄剤組成物で用いられる成分（Ｂ）はＮ−アシルメチルアラニン型アミノ酸系界面活性剤が好ましい。
【００２０】
本発明の洗浄剤組成物で用いられる成分（Ｂ）Ｎ−アシルメチルアラニン型アミノ酸系界面活性剤を具体的に例示すれば、ヤシ油脂肪酸メチルアラニンカリウム、ヤシ油脂肪酸メチルアラニンナトリウム、ヤシ油脂肪酸メチルアラニントリエタノールアミン、パーム核油脂肪酸メチルアラニンアンモニウム、ラウロイルメチルアラニンナトリウム、ラウロイルメチルアラニンカリウム、ラウロイルメチルアラニントリエタノールアミン、等が挙げられる。これらＮ−アシルメチルアラニン型アミノ酸系界面活性剤は市販品を使用することができ、具体的に例示すれば、アラノンＡＣＥ、アラノンＡＬＥ等のアラノンシリーズ（いずれも川研社製）や、ソフティルトＡＳ、ソフティルトＡＴ等のソフティルトシリーズ（いずれも日油社製）等が挙げられる。本発明の洗浄剤組成物には、これらＮ−アシルメチルアラニン型アミノ酸系界面活性剤を１種単独又は２種以上を組み合わせて用いることができる。
【００２１】
本発明の洗浄剤組成物において、成分（Ｂ）Ｎ−アシルグリシン型又はＮ−アシルメチルアラニン型アミノ酸系界面活性剤の配合量は、好ましくは０．０１〜１質量％、より好ましくは０．０５〜１質量％である。０．０１質量％未満では、泡の立ち始めが遅くなる。一方１質量％を超えると、泡立ちの初期において細かい泡を得られない。
【００２２】
本発明の洗浄剤組成物で用いられる成分（Ｃ）であるカチオン性ポリマーは、例えば塩化ジメチルジアリルアンモニウム・アルリルアミド共重合体、アクリルアミド・アクリル酸・塩化ジメチルジアリルアンモニウム共重合体液、塩化ジメチルジアリルアンモニウム・アクリル酸共重合体液、ポリ塩化ジメチルメチレンピペリジニウム液、カチオン化セルロース、カチオン化グァーガム、カチオン化フェヌグリークガム、カチオン化タラガム、カチオン化グルコマンナン、カチオン化ローカストビーンガム、アジピン酸ジメチルアミノヒドロキシプロピルジエチルトリアリアミン共重合体、ポリエチレンイミン、ポリエチレングリコール・エピクロルヒドリン・牛脂アルキルアミン・ジプロピレントリアミン縮合物などが挙げられる。これらのうち、塩化ジメチルジアリルアンモニウム・アクリルアミド共重合体、カチオン化グァーガム、カチオン化グルコマンナンが好ましい。これらカチオン性ポリマーは、市販品を用いることが可能であり、例えば、マーコート５５０、マーコート２９５等のマーコートシリーズ（いずれもナルコ社製）、カチナールＣＧ−１００Ｓ、カチナールＣＬＢ−１００等のカチナールシリーズ（いずれも東邦化学社製）が挙げられる。
【００２３】
本発明の洗浄剤組成物において、成分（Ｃ）カチオン性ポリマーの配合量は、好ましくは、０．０３〜１質量％である。より好ましくは０．１〜０．５質量％である。０．０３質量％未満では、満足する泡の持続性を得られず、１質量％を超えると泡立ちが遅くなり製品の使用性上好ましくない。
【００２４】
本発明の洗浄剤組成物で用いられる成分（Ｄ）であるノニオン性ポリマーは、例えばヒドロキシエチルセルロース、ヒドロキシプロピルセルロース、ヒドロキシプロピルメチルセルロース、ポリエチレングリコール、高重合ポリエチレングリコール、ポリビニルアルコール、ポリグルタミン酸、カルボキシビニルポリマー、アクリル酸・メタクリル酸アルキル共重合体、アクリル酸アルキル共重合体等が挙げられる。これらのうち、ヒドロキシエ
チルセルロース、ヒドロキシプロピルメチルセルロースが好ましい。これらノニオン性ポリマーは、市販品を用いることが可能であり、例えば、ＨＥＣダイセルＳＥ４００、ＨＥＣダイセルＳＥ６００等のＨＥＣダイセルシリーズ（いずれもダイセル化学工業社製）、メトローズ６０ＳＨ１００００、メトローズ６０ＳＨ４０００等のメトローズシリーズ（いずれも信越化学工業株式会社製）等が挙げられる。
【００２５】
本発明の洗浄剤組成物において、成分（Ｄ）ノニオン性ポリマーの配合量は、好ましくは、０．０１〜１質量％である。より好ましくは０．１〜０．５質量％である。０．０１質量％未満では、満足する泡の持続性を得られず、１質量％を超えると泡立ちが遅くなり製品の使用性上好ましくない。
【００２６】
本発明の洗浄剤組成物で用いられる成分（Ｅ）である無機塩は、例えば塩化ナトリウム、塩化カリウム、リン酸一ナトリウム、リン酸二ナトリウム、炭酸ナトリウム、炭酸水素ナトリウム等が挙げられる。これらのうち塩化ナトリウム、塩化カリウムが好ましく、さらに好ましくは塩化カリウムである。本発明の洗浄剤組成物には、これら無機塩類を１種単独又は２種以上を組み合わせて用いることができる。
【００２７】
本発明の洗浄剤組成物において、成分（Ｅ）無機塩類の配合量は、好ましくは、０．１〜２質量％である。０．１質量％未満では、満足する泡の持続性を得られず、２質量％を超えると泡立ちが遅くなり製品の使用性上好ましくない。
【００２８】
本発明の洗浄剤組成物は、上述した成分の他に、本発明の目的を損なわない範囲で他の成分、例えば、アニオン界面活性剤、カチオン界面活性剤、両性界面活性剤、ノニオン界面活性剤、粉体（顔料、色素、樹脂等）、生理活性成分、酸化防止剤、金属イオン封鎖剤、防腐剤、紫外線吸収剤、香料、保湿剤、塩類、溶媒、パール化剤、中和剤、昆虫忌避剤、酵素等の成分を適宜配合することができる。
【００２９】
上記アニオン界面活性剤としては、特に限定されるものではなく、例えばラウリル硫酸トリエタノールアミン、ラウリル硫酸アンモニウム、ラウリルエーテル硫酸ナトリウム、ポリオキシエチレンラウリルエーテル硫酸ナトリウム、ポリオキシエチレンヤシ油脂肪酸アミドエーテル硫酸カリウム、ラウリルリン酸ナトリウム、ポリオキシエチレンラウリルエーテル酢酸ナトリウム等が挙げられ、適宜一種又は二種以上選択して用いればよい。
【００３０】
上記両性界面活性剤としては、特に限定されるものではないが、例えばラウリン酸アミドプロピルベタイン、ヤシ油脂肪酸アミドプロピルベタイン、ラウリルジメチルアミノ酢酸ベタイン、２−アルキル−Ｎ−カルボキシメチル−Ｎ−ヒドロキシエチルイミダゾリニウムベタイン、ラウリルアミノジ酢酸ナトリウム、β−アミノプロピオン酸ナトリウム、Ｎ−ラウロイル−Ｎ'−カルボキシメチル−Ｎ'−ヒドロキシエチルエチレンジアミンナトリウム等が挙げられ、適宜一種又は二種以上選択して用いればよい。
【００３１】
上記ノニオン界面活性剤としては、特に限定されるものではないが、例えばポリオキシエチレンセチルエーテル、モノステアリン酸ソルビタン、トリイソステアリン酸ポリオキシエチレンソルビタン、デシルグルコシド、ラウリルグルコシド、ポリオキシエチレン硬化ヒマシ油、ポリオキシエチレンモノイソステアレート、ポリオキシエチレンジオレイン酸グリセリル、ヤシ油脂肪酸ジエタノールアミド、ヤシ油脂肪酸モノエタノールアミド、ヤシ油脂肪酸Ｎ−メチルエタノールアミド、ポリオキシエチレンポリオキシプロピレングリコール、モノラウリン酸ポリエチレングリコール等が挙げられ、適宜一種又は二種以上選択して用いればよい。
【００３２】
また、上記粉体としては、例えば赤色２０１号、黄色４号、青色１号、黒色４０１号等の
色素、黄色４号Ａｌレーキ、黄色２０３号Ｂａレーキ等のレーキ色素、ナイロンパウダー、シルクパウダー、シリコーンパウダー、セルロースパウダー、シリコーンエラストマー球状粉体、ポリエチレン末等の高分子、黄酸化鉄、赤色酸化鉄、酸化クロム、カーボンブラック、群青、紺青等の有色顔料、酸化亜鉛、酸化チタン等の白色顔料、タルク、マイカ、セリサイト、カオリン等の体質顔料、雲母チタン等のパール顔料、硫酸バリウム、炭酸カルシウム、炭酸マグネシウム、珪酸マグネシウム等の金属塩、シリカ、アルミナ等の無機粉体、ベントナイト、スメクタイト、窒化ホウ素等が挙げられる。これらの粉体の形状（球状、棒状、針状、板状、不定形状、燐片状、紡錘状など）に特に制限はない。
【００３３】
上記生理活性成分としては、皮膚に塗布した場合に皮膚に何らかの生理活性を与える物質が挙げられる。例えば、抗炎症剤、老化防止剤、紫外線防御剤、ひきしめ剤、抗酸化剤、保湿剤、血行促進剤、抗菌剤、殺菌剤、乾燥剤、冷感剤、温感剤、ビタミン類、アミノ酸、創傷治癒促進剤、刺激緩和剤、鎮痛剤、細胞賦活剤、酵素成分等が挙げられる。上記生理活性成分は、天然系の植物抽出成分、海藻抽出成分、生薬成分や、化合物等が挙げられるが、これらの中でも、特に天然系の植物抽出成分、海藻抽出成分、生薬成分が安全性の点で好ましい。
【００３４】
上記天然系の植物抽出成分、海藻抽出成分、生薬成分の例としては、例えばアシタバエキス、アマチャエキス、アルテアエキス、アロエエキス、アンズエキス、イチョウエキス、ウイキョウエキス、ウーロン茶エキス、エイジツエキス、オウゴンエキス、オウバクエキス、オトギリソウエキス、オランダカラシエキス、オレンジエキス、海水乾燥物、海藻エキス、加水分解コムギ末、加水分解シルク、カモミラエキス、カロットエキス、カワラヨモギエキス、甘草エキス、カキョクエキス、キウイエキス、キューカンバーエキス、クチナシエキス、クマザサエキス、クララエキス、クルミエキス、グレープフルーツエキス、クロレラエキス、クワエキス、紅茶エキス、酵母エキス、コラーゲン、サルビアエキス、サボンソウエキス、サンザシエキス、ジオウエキス、シコンエキス、シソエキス、シナノキエキス、シャクヤクエキス、シラカバエキス、スギナエキス、セイヨウキズタエキス、セイヨウサンザシエキス、セイヨウニワトコエキス、セイヨウノコギリソウエキス、セイヨウハッカエキス、セージエキス、センキュウエキス、センブリエキス、ダイズエキス、タイソウエキス、タイムエキス、茶エキス、チョウジエキス、チンピエキス、トウキエキス、トウニンエキス、ドクダミエキス、トマトエキス、納豆エキス、ニンジンエキス、ニンニクエキス、ノバラエキス、蜂蜜、ハマメリスエキス、ヒキオコシエキス、ビサボロール、ビワエキス、ブクリョウエキス、プロポリス、ヘチマエキス、ペパーミントエキス、ボダイジュエキス、ホップエキス、マドンナリリー花エキス、マロニエエキス、ムクロジエキス、メリッサエキス、モモエキス、ユキノシタエキス、ユズエキス、ヨモギエキス、ラベンダーエキス、レモンエキス、レンゲソウエキス、ローズマリーエキス、ローヤルゼリーエキス等を挙げることができる。
【００３５】
また、上記天然系の植物抽出成分、海藻抽出成分、生薬成分以外の成分としては、例えばデオキシリボ核酸、コラーゲン、エラスチン、キチン、キトサン、加水分解卵殻膜などの生体高分子、アミノ酸、乳酸ナトリウム、尿素、ピロリドンカルボン酸ナトリウム、ベタイン、ホエイなどの保湿成分、スフィンゴ脂質、セラミド、コレステロール、コレステロール誘導体、リン脂質などの油性成分、ε−アミノカプロン酸、グリチルリチン酸、β−グリチルレチン酸、塩化リゾチーム、グアイアズレン、ヒドロコルチゾン等の抗炎症剤、ビタミン類（Ａ、Ｂ２、Ｂ６、Ｃ、Ｄ、Ｅ）、パントテン酸カルシウム、ビオチン、ニコチン酸アミド、ビタミンＣエステル等のビタミン類、アラントイン、ジイソプロピルアミンジクロロアセテート、４−アミノメチルシクロヘキサンカルボン酸等の活性成分、トコフェロール、カロチノイド、フラボノイド、タンニン、リグナン、サポニン等の抗酸化剤、α−ヒドロキシ酸、β−ヒドロキシ酸などの細胞賦活剤、γ−オリザノール、ビタミンＥ誘導体などの血行促進剤、イソプロピルメチルフェノール、トリクロサン、ヒノキチオ
ール、塩化ベンザルコニウム等の殺菌剤、ｌ−メントール、ハッカ油等の冷感剤、レチノール、レチノール誘導体等の創傷治癒剤等が挙げられる。
【００３６】
本発明の洗浄剤組成物は、洗顔、クレンジング、ボディシャンプー、ハンドソープ、シェービング料、マッサージ料等の皮膚用洗浄剤として好適に使用できる。またそれぞれ、粘性液体、クリーム状等の形態として用いることができ、特に洗顔フォーム、液状ボディシャンプーとして好適に用いられる。
【実施例】
【００３７】
次に本発明の洗浄剤組成物について、実施例をもって詳細に説明するが、本発明はこれにより限定されるものではない。まず、各実施例で採用した試験法、評価法を説明する。
【００３８】
実施例１〜１０及び比較例１〜５
表１に示す組成の洗浄剤組成物を常法により調製した。泡立ち、泡量、泡質（クリーミィ性）、泡の持続性評価の結果は表１及び表２に併せて示した。なお、以下の全ての実施例及び比較例における配合量は質量％である。
【００３９】
（１）泡立ち評価
１０名の専門パネルにより、実施例及び比較例の洗浄剤組成物を使用し、泡立ちについて官能評価により評価を行った。尚、評価基準は以下の通りである。
［評価基準］
◎：極めて良好  泡立ちが早いと答えた被験者の数が８人以上
○：良好        泡立ちが早いと答えた被験者の数が６人以上、８人未満
△：やや悪い    泡立ちが早いと答えた被験者の数が４人以上、６人未満
×：悪い        泡立ちが早いと答えた被験者の数が４人未満
【００４０】
（２）泡量評価
１０名の専門パネルにより、実施例及び比較例の洗浄剤組成物を使用し、泡量について官能評価により評価を行った。尚、評価基準は以下の通りである。
［評価基準］
◎：極めて良好  泡量が多いと答えた被験者の数が８人以上
○：良好        泡量が多いと答えた被験者の数が６人以上、８人未満
△：やや悪い    泡量が多いと答えた被験者の数が４人以上、６人未満
×：悪い        泡量が多いと答えた被験者の数が４人未満
【００４１】
（３）泡立ち初期の泡質（クリーミィ性）評価
１０名の専門パネルにより、実施例及び比較例の洗浄剤組成物を使用し、泡立ち初期の泡質（クリーミィ性）について官能評価により評価を行った。尚、評価基準は以下の通りである。
［泡立ち初期の泡質（クリーミィ性）］
◎：極めて良好  泡質（クリーミィ性）が良いと答えた被験者の数が８人以上
○：良好        泡質（クリーミィ性）が良いと答えた被験者の数が６人以上、８人未満△：やや悪い    泡質（クリーミィ性）が良いと答えた被験者の数が４人以上、６人未満×：悪い        泡質（クリーミィ性）が良いと答えた被験者の数が４人未満
【００４２】
（４）泡の持続性評価
１０名の専門パネルにより、実施例及び比較例の洗浄剤組成物を使用し、泡の持続性について官能評価により評価を行った。尚、評価基準は以下の通りである。
［評価基準］
◎：極めて良好  持続性が良いと答えた被験者の数が８人以上
○：良好        持続性が良いと答えた被験者の数が６人以上、８人未満
△：やや悪い    持続性が良いと答えた被験者の数が４人以上、６人未満
×：悪い        持続性が良いと答えた被験者の数が４人未満
【００４３】
【表１】
0006795305.tif 000002
【００４４】
表１より明らかなように、本発明の成分を用いた実施例１〜１０の洗浄剤組成物は比較例１〜５の組成物に比べていずれも優れた性能を見出した。
【００４５】
以下、本発明の洗浄剤組成物のその他の処方例を実施例１１、１２として挙げる。なお、これらの実施例の洗浄剤組成物についても、上記の泡立ち、泡量、泡質（クリーミィ性）、泡の持続性の各項目を評価した。
【００４６】
実施例１１  洗顔フォーム
（１）ラウリン酸カリウム                                                ２．０
（２）ミリスチン酸カリウム                                            １６．０
（３）パルミチン酸カリウム                                              ６．０
（４）ステアリン酸カリウム                                              ６．０
（５）ココイルグリシンＫ                                                ２．０
（６）ラウロイルメチルアラニンＮａ                                      ８．０
（７）塩化ジメチルジアリルアンモニウム・アクリルアミド共重合体          ０．５
（８）シア脂                                                            ０．５
（９）バラエキス                                                        ０．５
（１０）サピンヅストリホリアツス果実エキス                              ０．５
（１１）モモ葉エキス                                                    ０．５
（１２）アロエベラ葉エキス                                              ０．５
（１３）Ｎ−アセチルグルコサミン                                        ０．５
（１４）カニナバラ果実エキス                                            ０．５
（１５）エデト酸二ナトリウム                                            ０．５
（１６）フェノキシエタノール                                            ０．５
（１７）ＤＰＧ                                                          ０．５
（１８）グリセリン                                                    ３０．０
（１９）香料                                                            ０．２
（２０）精製水                                                            残余
【００４７】
常法により上記組成の洗浄剤組成物を調製し、初期の泡立ち、泡量、泡質（クリーミィ性）、泡の持続性を評価したところ、いずれの特性も優れており良好な結果を得た。
【００４８】
実施例１２  ボディソープ
（１）ラウリン酸カリウム                                                ６．０
（２）ミリスチン酸カリウム                                            １２．０
（３）パルミチン酸カリウム                                              ３．０
（４）ステアリン酸カリウム                                              １．０
（５）ココイルグリシンＫ                                                ２．０
（６）ラウロイルメチルアラニンＮａ                                      ８．０
（７）塩化ジメチルジアリルアンモニウム・アクリルアミド共重合体          ０．５
（８）シア脂                                                            ０．５
（９）バラエキス                                                        ０．５
（１０）サピンヅストリホリアツス果実エキス                              ０．５
（１１）モモ葉エキス                                                    ０．５
（１２）アロエベラ葉エキス                                              ０．５
（１３）Ｎ−アセチルグルコサミン                                        ０．５
（１４）カニナバラ果実エキス                                            ０．５
（１５）エデト酸二ナトリウム                                            ０．５
（１６）フェノキシエタノール                                            ０．５
（１７）ＤＰＧ                                                          ０．５
（１８）グリセリン                                                    ３０．０
（１９）香料                                                            ０．２
（２０）精製水                                                            残余
【００４９】
常法により上記組成の洗浄剤組成物を調製し、初期の泡立ち、泡量、泡質（クリーミィ性）、泡の持続性を評価したところ、いずれの特性も優れており良好な結果を得た。